【手続補正書】
【提出日】平成30年5月31日(2018.5.31)
【手続補正１】
【補正対象書類名】特許請求の範囲
【補正対象項目名】全文
【補正方法】変更
【補正の内容】
【特許請求の範囲】
【請求項１】
印刷装置であって、
外部端末とダイレクト無線通信を実行する通信手段と、
前記印刷装置の操作部を介してログイン要求を受け付ける受付手段と、
前記受付手段によってログイン要求を受け付けた場合に、当該ログイン要求が示すユーザを前記印刷装置にログインさせるログイン認証手段と、
前記印刷装置が外部端末から印刷に関する要求を受け付けた場合に、ユーザ情報の入力を前記外部端末に要求し、当該要求に対するレスポンスとして前記外部端末から受け取った前記ユーザ情報に基づき、当該外部端末からの印刷データを受け付けることが可能な状態に前記印刷装置を遷移させるか否かを異ならせる印刷認証手段と、
前記外部端末から受信した印刷データに基づきシートに画像を印刷する印刷手段と、を有し、
前記印刷装置にユーザがログイン中であり、前記ダイレクト無線通信を介して前記外部端末から印刷に関する要求を受け付けた場合、前記印刷認証手段は、前記ユーザ情報の入力を前記外部端末に要求することなく、前記外部端末からの印刷データを受け付けることが可能な状態に前記印刷装置を遷移させることを特徴とする印刷装置。
【請求項２】
印刷時にユーザ情報の入力を要求するかどうかを設定する設定手段を更に有し、
前記設定手段によってユーザ情報の要求を行うことが設定された場合であっても、前記印刷装置にユーザがログイン中であり、前記ダイレクト無線通信を介して前記外部端末から印刷に関わる要求を受け付けた場合には、前記印刷認証手段は、前記ユーザ情報の入力を前記外部端末に要求することなく、前記外部端末からの印刷データを受け付けることが可能な状態に前記印刷装置を遷移させることを特徴とする請求項１に記載の印刷装置。
【請求項３】
印刷時にユーザ情報の要求を省略することを許可するかどうかを設定する設定手段を更に有し、
前記設定手段によって、ユーザ情報の要求を省略することを許可することが設定されていることに従って、前記印刷認証手段は、前記印刷装置にユーザがログイン中であり、前記外部端末から前記ダイレクト無線通信を介して前記印刷に関する要求を受け付けた場合は、ユーザ情報の入力を要求することなく、当該外部端末からの印刷データを受け付けることが可能な状態に前記印刷装置を遷移させ、
前記設定手段によって、印刷時にユーザ情報の要求を省略することを許可することが設定されていないことに従って、前記印刷認証手段は、前記印刷装置にユーザがログイン中であり、且つ、前記ダイレクト無線通信を介して前記印刷に関わる要求を受け付けた場合であっても、ユーザ情報の入力を前記外部端末に要求することを特徴とする請求項１に記載の印刷装置。
【請求項４】
印刷装置であって、
外部端末とダイレクト無線通信を実行する通信手段と、
前記印刷装置が外部端末から印刷に関する要求を受け付けた場合に、ユーザ情報の入力を前記外部端末に要求し、当該要求に対するレスポンスとして前記外部端末から受け取った前記ユーザ情報に基づき、当該外部端末からの印刷データを受け付けることが可能な状態に前記印刷装置を遷移させるか否かを異ならせる印刷認証手段と、
前記外部端末から受信した印刷データに基づきシートに画像を印刷する印刷手段と、を有し、
前記ダイレクト無線通信を介して外部端末から前記印刷に関する要求を受け付けた場合、前記印刷認証手段は、前記ユーザ情報の入力を前記外部端末に要求することなく、前記外部端末からの印刷データを受け付けることが可能な状態に前記印刷装置を遷移させることを特徴とする印刷装置。
【請求項５】
印刷時にユーザ情報の入力を要求するかどうかを設定する設定手段を更に有し、
前記設定手段によってユーザ情報の要求を行うことが設定された場合であっても、前記ダイレクト無線通信を介して外部端末から印刷に関わる要求を受け付けた場合には、前記印刷認証手段は、前記ユーザ情報の入力を前記外部端末に要求することなく、前記外部端末からの印刷データを受け付けることが可能な状態に前記印刷装置を遷移させることを特徴とする請求項４に記載の印刷装置。
【請求項６】
印刷時にユーザ情報の要求を省略することを許可するかどうかを設定する設定手段を更に有し、
前記設定手段によって、ユーザ情報の要求を省略することを許可することが設定されていることに従って、前記印刷認証手段は、外部端末から前記ダイレクト無線通信を介して前記印刷に関する要求を受け付けた場合は、ユーザ情報の入力を要求することなく、当該外部端末からの印刷データを受け付けることが可能な状態に前記印刷装置を遷移させ、
前記設定手段によって、印刷時にユーザ情報の要求を省略することを許可することが設定されていないことに従って、前記印刷認証手段は、前記ダイレクト無線通信を介して前記印刷に関わる要求を受け付けた場合であっても、ユーザ情報の入力を前記外部端末に要求することを特徴とする請求項４に記載の印刷装置。
【請求項７】
前記外部端末からの印刷データを受け付けることが可能な状態に前記印刷装置を遷移させる場合に、前記印刷に関する要求を許可することを示す情報を前記外部端末に対して通知する通知手段を更に備えることを特徴とする請求項１乃至６の何れか１項に記載の印刷装置。
【請求項８】
前記ダイレクト無線通信とは異なる通信で外部端末から前記印刷に関する要求を受信した場合に、前記印刷認証手段は、ユーザ情報の入力を前記外部端末に要求することを特徴とする請求項１乃至７の何れか１項に記載の印刷装置。
【請求項９】
前記通信手段は、前記印刷装置をアクセスポイントとして動作させ、当該アクセスポイントを介した無線通信によって、前記外部端末とのダイレクト無線通信を実現することを特徴とする請求項１乃至８の何れか１項に記載の印刷装置。
【請求項１０】
前記アクセスポイントに前記外部端末が接続することにより、前記印刷装置と前記外部端末との間でダイレクト無線通信を実行することが可能となることを特徴とする請求項９に記載の印刷装置。
【請求項１１】
前記アクセスポイントは、複数の外部端末と接続を確立することが可能であることを特徴とする請求項１０に記載の印刷装置。
【請求項１２】
前記通信手段は、Ｗｉ−Ｆｉ  Ｄｉｒｅｃｔに準拠する無線通信で、外部端末とのダイレクト無線通信を実現することを特徴とする請求項１乃至８の何れか１項に記載の印刷装置。
【請求項１３】
前記ユーザ情報は、ユーザ名とパスワードを含むことを特徴とする請求項１乃至１２の何れか１項に記載の印刷装置。
【請求項１４】
前記印刷に関する要求は、Ｉｎｔｅｒｎｅｔ  Ｐｒｉｎｔｉｎｇ  Ｐｒｏｔｏｃｏｌの規格に準拠する印刷開始要求であり、
前記印刷認証手段は、前記外部端末から当該印刷開始要求を受け付けた場合に、ユーザ情報の入力を当該外部端末に要求することを特徴とする請求項１乃至１３の何れか１項に記載の印刷装置。
【請求項１５】
印刷装置を制御する制御方法であって、
外部端末とダイレクト無線通信を実行する通信工程と、
前記印刷装置の操作部を介してログイン要求を受け付ける受付工程と、
前記受付工程でログイン要求を受け付けた場合に、当該ログイン要求が示すユーザを前記印刷装置にログインさせるログイン認証工程と、
前記印刷装置が外部端末から印刷に関する要求を受け付けた場合に、ユーザ情報の入力を前記外部端末に要求し、当該要求に対するレスポンスとして前記外部端末から受け取った前記ユーザ情報に基づき、当該外部端末からの印刷データを受け付けることが可能な状態に前記印刷装置を遷移させるか否かを異ならせる印刷認証工程と、
前記外部端末から受信した印刷データに基づきシートに画像を印刷する印刷工程と、を有し、
前記印刷装置にユーザがログイン中であり、前記ダイレクト無線通信を介して前記外部端末から印刷に関する要求を受け付けた場合、前記印刷認証工程は、前記ユーザ情報の入力を前記外部端末に要求することなく、前記外部端末からの印刷データを受け付けることが可能な状態に前記印刷装置を遷移させることを特徴とする制御方法。
【請求項１６】
印刷装置を制御する制御方法であって、
外部端末とダイレクト無線通信を実行する通信工程と、
前記印刷装置が外部端末から印刷に関する要求を受け付けた場合に、ユーザ情報の入力を前記外部端末に要求し、当該要求に対するレスポンスとして前記外部端末から受け取った前記ユーザ情報に基づき、当該外部端末からの印刷データを受け付けることが可能な状態に前記印刷装置を遷移させるか否かを異ならせる印刷認証工程と、
前記外部端末から受信した印刷データに基づきシートに画像を印刷する印刷工程と、を有し、
前記ダイレクト無線通信を介して外部端末から前記印刷に関する要求を受け付けた場合、前記印刷認証工程は、前記ユーザ情報の入力を前記外部端末に要求することなく、前記外部端末からの印刷データを受け付けることが可能な状態に前記印刷装置を遷移させることを特徴とする制御方法。
【請求項１７】
請求項１５又は１６に記載の制御方法の各工程をコンピュータに実行させるためのプログラム。
【手続補正２】
【補正対象書類名】明細書
【補正対象項目名】０００９
【補正方法】変更
【補正の内容】
【０００９】
本発明の目的は、ユーザが携帯端末から印刷装置に印刷ジョブを無線で送信して印刷させる際、ユーザの認証が不要と想定される場合に、携帯端末での認証を不要にする技術を提供することにある。
【手続補正３】
【補正対象書類名】明細書
【補正対象項目名】００１０
【補正方法】変更
【補正の内容】
【００１０】
上記目的を達成するために本発明の一態様に係る印刷装置は以下のような構成を備える。即ち、
印刷装置であって、
外部端末とダイレクト無線通信を実行する通信手段と、
前記印刷装置の操作部を介してログイン要求を受け付ける受付手段と、
前記受付手段によってログイン要求を受け付けた場合に、当該ログイン要求が示すユーザを前記印刷装置にログインさせるログイン認証手段と、
前記印刷装置が外部端末から印刷に関する要求を受け付けた場合に、ユーザ情報の入力を前記外部端末に要求し、当該要求に対するレスポンスとして前記外部端末から受け取った前記ユーザ情報に基づき、当該外部端末からの印刷データを受け付けることが可能な状態に前記印刷装置を遷移させるか否かを異ならせる印刷認証手段と、
前記外部端末から受信した印刷データに基づきシートに画像を印刷する印刷手段と、を有し、
前記印刷装置にユーザがログイン中であり、前記ダイレクト無線通信を介して前記外部端末から印刷に関する要求を受け付けた場合、前記印刷認証手段は、前記ユーザ情報の入力を前記外部端末に要求することなく、前記外部端末からの印刷データを受け付けることが可能な状態に前記印刷装置を遷移させることを特徴とする。
【手続補正４】
【補正対象書類名】明細書
【補正対象項目名】００２１
【補正方法】変更
【補正の内容】
【００２１】
ＣＰＵ２１４は、ＲＯＭ２１５に記憶されている制御プログラムを読み出して、携帯端末１３０の動作を制御するための様々な処理を実行する。ＣＰＵ２１４は、バス２１３によって他のユニットと接続されている。ＲＯＭ２１５は、制御プログラムや各種データを記憶している。ＲＡＭ２１６は、ＣＰＵ２１４の主メモリ、ワークエリア等の一時記憶領域として用いられる。ＨＤＤ２１７は、画像等の様々なデータを記憶する。無線通信部２１８は、印刷装置１００等の無線通信装置との間で無線通信を実行する。無線通信部２１８が実行する無線通信は、アクセスポイント１４０のような中継装置を介さずに印刷装置１００と携帯端末１３０との間で直接実行されることもある。操作部２２０は、タッチパネル機能を有する表示部やキーボードを備え、操作部Ｉ／Ｆ２１９を介して受け取った画面情報に基づいて、各種操作画面を表示する。またユーザが操作部２２０を介して携帯端末１３０に対して指示や情報は、操作部Ｉ／Ｆ２１９を介して入力される。